(57)【要約】      （修正有）【課題】抗離脱力が充分でありながら取り付け時の挿入力を低減した矢じり型スナップを提供すること。【解決手段】矢じり型スナップ１の逆止片１４の先端面は、支持脚１２に近い側で低く支持脚１２から遠い側で高くなる傾斜面１７とされており、傾斜面１７の外周縁部２３は鋭角状に切り立った形状になっている。この鋭角状に切り立った外周縁部２３が逆止片１４の抗離脱力を強くするので、逆止片１４の弾性反発力を従来よりも弱くできる。すなわち、抗離脱力が充分でありながら取り付け時の挿入力を低減したスナップを実現できる。外周縁部２３は、傾斜面１７にて貫通孔２１の開口周縁と係止したときにつぶれて「抜きＲ」に密着し、スナップ１と貫通孔２１とのガタツキやスナップの振動による雑音を防止する。【選択図】図１
2011058590.tif 000002
【特許請求の範囲】
【請求項１】
基台の下面から下方に突出した支持脚と、
前記支持脚の先端から前記基台に向けて矢印形状を呈するように延設された一対の逆止片であり、板材に穿設された貫通孔に挿入されると弾性変形して該貫通孔を通過して前記基台側の端面である先端面にて前記貫通孔の開口周縁と係止し合う一対の逆止片と
を備える矢じり型スナップにおいて、
両方の前記逆止片の先端面の前記支持脚からの距離が最遠となる部分が含まれる範囲は、前記支持脚に近い側で低く前記支持脚から遠い側で高くなる傾斜面とされている
ことを特徴とする矢じり型スナップ。
【請求項２】
前記先端面の全域が前記傾斜面とされていることを特徴とする請求項１記載の矢じり型スナップ。
【請求項３】
前記逆止片が前記先端面にて前記貫通孔の開口周縁と係止し合ったときに前記貫通孔の開口の内側になる位置で前記逆止片に立設された突起が設けられていることを特徴とする請求項１又は２記載の矢じり型スナップ。
【請求項４】
スペーサ又はクランプとして機能する機能部を前記基台に設けたことを特徴とする請求項１、２又は３記載の矢じり型スナップ。
【請求項５】
材質がナイロン１１（ＰＡ１１）であることを特徴とする請求項１ないし４のいずれか記載の矢じり型スナップ。
【発明の詳細な説明】
【技術分野】
【０００１】
本発明は、板材に基台を取り付けるための矢じり型スナップに関する。
【背景技術】
【０００２】
従来から、電機部品等を例えば板金製の板材に取り付ける際に、板材に穿設されたスナップ挿入用の孔に、クランプ等の基台に取り付けられた矢じり型スナップを挿入し、基台を板材に固定することが知られている。
【０００３】
この点に関し、特開平１１−２６９５６号公報には、図２に例示するように、基台（１０）の下面から下方に突出した支持脚（１２）と、前記支持脚（１２）の先端から前記基台（１０）に向けて矢印形状を呈するように延設された一対の逆止片（１４）であり、板材（２０）に穿設された貫通孔（２１）に挿入されると弾性変形して該貫通孔（２１）を通過して前記基台（１０）側の端面である先端面（１６）にて前記貫通孔（２１）の開口周縁と係止し合う一対の逆止片（１４）とを備える矢じり型スナップが開示されている。
【先行技術文献】
【特許文献】
【０００４】
【特許文献１】特開平１１−２６９５６号公報（図７、図８）
【発明の概要】
【発明が解決しようとする課題】
【０００５】
図２に例示した従来技術の矢じり型スナップでは、取り付け後の離脱防止を図るために、すなわち逆止片（１４）の抗離脱力を強くするために、逆止片（１４）の弾性反発力を強くする傾向にあった。逆止片（１４）の弾性反発力を強めれば、取り付け時に貫通孔（２１）に挿入して弾性変形させるために要する挿入力が大きくなり、それに応じて作業者の負担が大きかった。
【０００６】
また、逆止片（１４）の先端面（１６）が図２に示すように支持脚（１２）を鉛直にした姿勢のときに状態で水平面となっているので、板金である板材（２０）にプレス加工で穿設された貫通孔（２１）の「抜きＲ」との密着性が弱いという問題があった。
【課題を解決するための手段】
【０００７】
請求項１記載の矢じり型スナップは、
基台の下面から下方に突出した支持脚と、
前記支持脚の先端から前記基台に向けて矢印形状を呈するように延設された一対の逆止片であり、板材に穿設された貫通孔に挿入されると弾性変形して該貫通孔を通過して前記基台側の端面である先端面にて前記貫通孔の開口周縁と係止し合う一対の逆止片と
を備える矢じり型スナップにおいて、
両方の前記逆止片の先端面の前記支持脚からの距離が最遠となる部分が含まれる範囲は、前記支持脚を鉛直にした姿勢のときに前記支持脚に近い側で低く前記支持脚から遠い側で高くなる傾斜面とされている
ことを特徴とする。
【０００８】
両方の逆止片の先端面の支持脚からの距離が最遠となる部分が含まれる範囲は、支持脚を鉛直にした姿勢のときに支持脚に近い側で低く支持脚から遠い側で高くなる傾斜面とされているので、先端面が傾斜面とされている範囲では先端面の外周縁が鋭角状に切り立った形状になる。
【０００９】
この鋭角状に切り立った外周縁部が逆止片の抗離脱力を強くするので、これに応じて逆止片の弾性反発力を従来よりも弱くできる。すなわち、抗離脱力が充分でありながら取り付け時の挿入力を低減したスナップを実現できる。
【００１０】
しかも、逆止片の先端面の外周縁が鋭角状に切り立った形状になっているので、先端面にて貫通孔の開口周縁と係止したときに、この鋭角部分がつぶれて「抜きＲ」に密着する。これにより、スナップと貫通孔とのガタツキやスナップの振動による雑音を防止できる。
【００１１】
傾斜面は、例えば先端面を支持脚からの距離の遠近にて２分割（２等分ではない）して、支持脚から遠い側のみというように、先端面の限られた範囲だけでもよい。また、請求項２記載のように、先端面の全域を傾斜面としてもよい。
【００１２】
請求項３記載の矢じり型スナップは、前記逆止片が前記先端面にて前記貫通孔の開口周縁と係止し合ったときに前記貫通孔の開口の内側になる位置で前記逆止片に立設された突起が設けられていることを特徴とする請求項１又は２記載の矢じり型スナップであるから、突起が貫通孔の内周に当接することでスナップと貫通孔とのガタツキやスナップの振動による雑音を防止する効果がある。
【００１３】
請求項４記載の矢じり型スナップは、スペーサ又はクランプとして機能する機能部を前記基台に設けたことを特徴とする請求項１、２又は３記載の矢じり型スナップであり、矢じり型スナップを用いて板材に取り付けられる機能部品を例示したものである。
【００１４】
請求項５記載の矢じり型スナップは、材質がナイロン１１（ＰＡ１１）であることを特徴とする請求項１ないし４のいずれか記載の矢じり型スナップであり、好適な材質を例示したものである。
【図面の簡単な説明】
【００１５】
【図１】実施例の矢じり型スナップの正面図（ａ）及び取り付け状態の説明図（ｂ）。
【図２】従来例の矢じり型スナップの正面図（ａ）及び取り付け状態の説明図（ｂ）。
【発明を実施するための形態】
【００１６】
以下、ナイロン１１（ＰＡ１１）の成形品である矢じり型スナップ１の実施例を説明する。なお、使用したＰＡ１１の物性値は次の通りである。
・吸水率（平衡吸水率）：１％以下
・曲げ弾性率：１０００〜２０００Ｍｐａ
・引張り強度：３０〜７０Ｍｐａ
・伸び：１００％以上
また、本実施例の矢じり型スナップ１は、例えばスペーサやクランプとして機能する機能部を基台１０に設けた形態とされるが、そうした機能部自体は周知であるので図示と説明は省略する。
【００１７】
本実施例の矢じり型スナップ１は図１に示す通りの構成であり、図２に示した従来技術と同様に、基台１０の下面から下方に突出した支持脚１２と、支持脚１２の先端から基台１０に向けて矢印形状を呈するように延設された一対の逆止片１４であり、板材２０に穿設された貫通孔２１に挿入されると弾性変形して該貫通孔２１を通過して基台１０側の端面である先端面にて貫通孔２１の開口周縁と係止し合う一対の逆止片１４とを備えている。
【００１８】
但し、逆止片１４の先端面は、支持脚１２に近い側で低く支持脚１２から遠い側で高くなる傾斜面１７とされている点で図２の従来技術とは相違する。なお、傾斜面１７の傾斜角度は２〜５°が好適である。
【００１９】
また、逆止片１４の支持脚１２側になる部分には、その先端部に突起１９が立設されている。この突起１９は、図１（ｂ）に示すように逆止片１４が傾斜面１７にて貫通孔２１の開口周縁と係止し合ったときに貫通孔２１の開口の内側になる位置で逆止片１４に立設されている。
【００２０】
本実施例の矢じり型スナップ１においては、両方の逆止片１４の先端面は、図１に示すように支持脚１２を鉛直にした姿勢のときに支持脚１２に近い側で低く支持脚１２から遠い側で高くなる傾斜面１７とされているので、傾斜面１７の外周縁部２３が鋭角状に切り立った形状になっている。
【００２１】
この鋭角状に切り立った外周縁部２３が逆止片１４の抗離脱力を強くするので、これに応じて逆止片１４の弾性反発力を従来よりも弱くできる。すなわち、抗離脱力が充分でありながら取り付け時の挿入力を低減したスナップを実現できる。さらに、本実施例では、上記物性値のＰＡ１１を使用したことから、取り付け時に要する挿入力を弱く（つまり逆止片１４の弾性反発力を弱く）でき、この点からも離脱力が充分でありながら取り付け時の挿入力を低減する効果が良好になっている。
【００２２】
しかも、逆止片１４の先端の傾斜面１７の外周縁部２３が鋭角状に切り立った形状になっているので、傾斜面１７にて貫通孔２１の開口周縁と係止したときに、この鋭角部分が図１（ｂ）に示すようにつぶれて「抜きＲ」に密着する。これにより、スナップ１と貫通孔２１とのガタツキやスナップの振動による雑音を防止できる。
【００２３】
なお、本実施例では先端面の全域を傾斜面１７としているが、例えば先端面を支持脚１２からの距離の遠近にて２分割（２等分ではない）して、支持脚１２から遠い側のみを傾斜面としてもよい。
【００２４】
また、本実施例の矢じり型スナップ１は、逆止片１４の先端部に立設された突起１９が設けられており、この突起１９は逆止片１４が傾斜面１７にて貫通孔２１の開口周縁と係止し合ったときに貫通孔２１の開口の内側になる位置で逆止片１４に立設されているから、突起１９が貫通孔２１の内周に当接することでスナップ１と貫通孔２１とのガタツキやスナップの振動による雑音を防止する効果がある。
【符号の説明】
【００２５】
１・・・矢じり型スナップ、
１０・・・基台、
１２・・・支持脚、
１４・・・逆止片、
１７・・・傾斜面、
１９・・・突起、
２０・・・板材、
２１・・・貫通孔、
２３・・・外周縁部。
【図１】
2011058590.tif 000003
【図２】
2011058590.tif 000004